(57)【特許請求の範囲】
【請求項１】
与薬対象が、医薬品が配薬される患者または入所者であり、複数の与薬対象に対し配薬されるべき医薬品を小分けして収容し得る与薬管理具であって、
複数の与薬対象には、１日分に相当する１周期内で、複数回の配薬時期に、医薬品が配薬される与薬対象が含まれ、
１回の配薬時期に配薬される医薬品を収容し得る与薬単位容器であって、与薬対象を示す対象識別手段を着脱可能に設け得る与薬単位容器と、
同一の与薬対象に対応する、１周期分の与薬単位容器を収容し得る周期単位容器であって、与薬単位容器を配薬時に抜き出し可能に収容する周期単位容器と、
同一の与薬対象に対応する複数の周期単位容器を収容する対象単位容器と
を有し、
上記の対象単位容器が、複数の与薬対象に対応して準備され、
与薬単位容器が、医薬品を配薬するときに、そのときに対応する医薬品が収容され、かつ、対象識別手段が設けられた状態で抜き出され、
与薬単位容器が抜き出されることによって、医薬品が、与薬単位容器ごと取り出された状態で、与薬対象に対して配薬可能な状態とされる
上記の与薬管理具。
【請求項２】
与薬単位容器の対象識別手段が、複数の与薬単位容器の少なくとも一部に、取り外し可能に設けられる請求項１に記載の与薬管理具。
【請求項３】
与薬単位容器の対象識別手段が、与薬単位容器に収容可能な、識別情報を表示する薄板状部材である請求項１または２に記載の与薬管理具。
【請求項４】
請求項１から３のいずれかにかかる与薬管理具を用い、複数の与薬対象に対し、所定の配薬時期に所要の医薬品を配薬する与薬管理方法であって、
１回に配薬すべき医薬品を収容し得る与薬単位容器に、対象識別手段を介して与薬対象の識別情報を表示し、与薬対象に対し、所定の配薬時期に配薬される医薬品を対応する与薬単位容器にそれぞれ収容し、同一の与薬対象に対応する複数の与薬単位容器を１つの周期単位容器に収容し、同一の与薬対象に対応する複数の周期単位容器を１つの対象単位容器に収容した状態で配置する配置ステップと、
与薬対象ごとに、それぞれ配置ステップを実行し、複数の周期単位容器を準備するステップと、
所定の配薬時期に、対象単位容器から、配薬すべき対象ではない与薬単位容器を、周期単位容器内に残した状態で、配薬すべき一回分の医薬品が収容され、かつ、対象識別手段が設けられた与薬単位容器のみを抜き出す抽出ステップと、
所定の配薬時期に、上記の抽出ステップを繰り返し、複数の予約対象に対し、同一の配薬時期に配薬すべき医薬品が収容された与薬単位容器のみを集約するステップと、
抜き出された与薬単位容器ごとに、各与薬単位容器に設けられた対象識別手段の表示に基づき、複数の与薬対象に対して医薬品を、順次、配薬する配薬ステップと
を含む上記の与薬管理方法。
【請求項５】
与薬単位容器のみを集約するステップが、
少なくとも２つの対象単位容器から、所定の配薬時期に対応する与薬単位容器を抜き出し、複数の与薬単位容器を収容し得る投与時期単位容器に抜き出された複数の与薬単位容器を配置し、所定の投与時期に配薬すべき医薬品が収容された与薬単位容器のみを集約するステップであり、
配薬ステップが、
投与時期単位容器に配置された与薬単位容器に収容された医薬品を、与薬対象に対して与薬単位容器ごとに配薬し、投与時期単位容器内の全ての医薬品を配薬した時点で終了するステップである
請求項４に記載の与薬管理方法。
【請求項６】
配置ステップに含まれる与薬対象の識別情報を表示する工程が、
少なくとも、次回に配薬予定の医薬品が収容された一部の与薬単位容器に、対象識別手段を収容する工程であり、
配薬ステップの終了後、配薬後の与薬単位容器に収容されていた対象識別手段を、対象識別手段が収容されていない与薬単位容器のうち、最も早く配薬予定の与薬単位容器に収容する再識別ステップを含む
請求項４または５に記載の与薬管理方法。
【発明の詳細な説明】
【技術分野】
【０００１】
本発明は、例えば、医療施設などで複数の患者に配薬される医薬品を分類し、適切に配布、即ち、配薬するために用いられる与薬管理具及び与薬管理方法に関するものである。
【背景技術】
【０００２】
例えば、入院施設や養護施設のような施設では、複数の患者、即ち、与薬対象に対し、所要の医薬品を所要の周期で配薬する必要がある。
このように配薬する場合、例えば、薬剤師や看護師などが、多種類及び多数の医薬品の中から、１回の配薬時期に、各与薬対象に配薬すべき医薬品を予め小分けしておき、小分けされた医薬品が、定められた配薬時期に服用または使用可能になるよう、対応する各与薬対象に配薬される。
【０００３】
医薬品を、与薬対象に応じて、１回の配薬時期に服用すべき種類及び分量に小分けする作業は、集中力を要する上、時間がかかる作業である。
この小分け作業を、配薬時期の都度、特に、小分け作業以外の突発的な作業が入る可能性が高い時間帯に実施すると、注意力が散漫になり、誤薬事故の原因にもなる。
【０００４】
そこで、このような誤薬事故の危険性を抑制するため、様々な工夫がなされている。
例えば、多数の入院患者を収容する病棟では、入院患者全員に対して翌日に配薬される１日分、例えば、朝、昼、夕、眠前の１周期分に必要な医薬品が、小分けされることなく、薬局から病棟に配薬される。
そして、病棟に配薬された多量の医薬品を、配薬される前日の夜に、病棟の看護師等が、例えば、翌日からの１週間分を小分けするようにし、小分け作業が散漫になることを極力減らすことによって、誤薬事故の低減を図っている。
【０００５】
しかしながら、上記の場合、小分け作業自体が適切になされても、手元に残った小分けされた医薬品から、配薬状況を判断したり、配薬忘れを確認たりすることは難しい、という問題があった。
上記の問題に対しては、特許文献１に記載されたような与薬トレーが提案されている。
【０００６】
この与薬トレーは、１個のトレーが、一人の与薬対象専用になっており、そのトレーには、複数の配薬時期に対応して、例えば、４室に分割された１周期（一日）分のケースが、複数、例えば、１週間分に相当する７列が収容される。
この与薬トレーは、１週間分の医薬品を一度に小分けできる上、与薬トレーを見れば、与薬対象に対する配薬状態を簡単に確認することができるため、与薬対象に対して配薬を適切に実施することができる。
また、１週間分の医薬品を一度に集中して小分け可能なので、看護師等の小分け作業におけるミスを減少させる効果も望める。
【０００７】
しかしながら、投薬時期に対応して仕切られた一連のケースに１周期分の医薬品を分割して小分けすると、例えば、朝食後に、病棟の全ての与薬対象に所要の配薬を行う場合、与薬トレーから投薬すべき医薬品を持って各病室を回ることになる。
【０００８】
このとき、複数の投薬時期に配薬すべき医薬品が子分けされた一連のケースをそのまま抜き出すと、不必要な医薬品まで持ち歩くことになり、無駄が多くなり、また、誤薬や、ケースをトレーに戻すときに入れ違いが発生する恐れもある。
このため、通常、与薬対象に対応した区画を有する配薬トレーなどに、各与薬トレーから配薬すべき医薬品を取り出して移し変え、その配薬トレーを各病室まで移動させ、配薬する。
【０００９】
しかしながら、この場合、医薬品を与薬トレーから配薬トレーに移し替えるときに、むき出しの複数の医薬品を手で掴んで異動させることになるので、その途中で、医薬品が手からこぼれ落ちたり、複数の与薬対象用の医薬品が混ざったりする恐れがあるという問題があった。
また、所定の与薬対象用の与薬トレーから、多数の区画を有する配薬トレーの所要の区画に、正確に移し替えることが簡単ではなく、誤った区画に医薬品を移し替えてしまい、適切な配薬ができなくなる、という問題があった。
【先行技術文献】
【特許文献】
【００１０】
【特許文献１】特開２００７−３０７１０４号公報
【発明の概要】
【発明が解決しようとする課題】
【００１１】
本発明は、上記の問題を解決することを目的としてなされたのもであって、投薬時期に応じて医薬品を分類し、分類された医薬品から、投薬すべき医薬品のみを簡単かつ確実に抽出して、配薬可能にする与薬管理具を提供することを目的とする。
【課題を解決するための手段】
【００１２】
上記目的を達成するため、請求項１に記載の発明に係る与薬管理具は、
１周期が複数の配薬時期によって構成され、与薬対象に対し、複数の配薬時期に配薬すべき医薬品を小分けして収容し得る与薬管理具であって、
１回の配薬時期に配薬される医薬品を収容し、与薬対象を示す対象識別手段を有する与薬単位容器と、
同一の周期に属する複数の与薬単位容器を収容する周期単位容器と、
同一の与薬対象用の、複数周期分に相当する複数の周期単位容器を収容する対象単位容器と
を有することを特徴とする。
【００１３】
また、請求項２に係る発明は、請求項１に係る発明において、少なくとも１つの対象単位容器から抽出された、所定の配薬時期に配薬すべき医薬品を収容する与薬単位容器を収容する投与時期単位容器を有することを特徴とする。
【００１４】
また、請求項３に係る発明は、請求項１または２に係る発明において、与薬単位容器の対象識別手段が、複数の与薬単位容器の少なくとも一部に、取り外し可能に設けられることを特徴とする。
【００１５】
また、請求項４に係る発明は、請求項１から３のいずれかに係る発明において、与薬単位容器の対象識別手段が、与薬単位容器に収容可能な、識別情報を表示する薄板状部材であることを特徴とする。
【００１６】
また、上記目的を達成するため、請求項５に係る発明は、
与薬対象に、所要の周期で所要の医薬品を配薬する与薬管理方法であって、
配薬すべき医薬品を収容し得る与薬単位容器に、与薬対象の識別情報を表示し、与薬対象に対し、所定の配薬時期に配薬される医薬品を対応する与薬単位容器に収容し、同一の与薬対象に対応する複数の与薬単位容器を周期単位容器に収容し、同一の与薬対象に対応する複数の周期単位容器を対象単位容器に収容した状態で配置する配置ステップと、
対象単位容器から、所定の配薬時期に配薬される医薬品が収容された与薬単位容器を抽出する抽出ステップと、
抽出された与薬単位容器を介して、与薬対象に対して医薬品を配薬する配薬ステップと
を含むことを特徴とする。
【００１７】
また、請求項６に係る発明は、請求項５に係る発明において、
抽出ステップが、
少なくとも１つの対象単位容器から、所定の配薬時期に対応する与薬単位容器を抽出し、抽出された複数の与薬単位容器を、投与時期単位容器に配置するステップであり、
配薬ステップが、
投与時期単位容器に配置された与薬単位容器を介して、与薬対象に対して医薬品を対象に配薬するステップである
ことを特徴とする。
【００１８】
また、請求項７に係る発明は、請求項５または６に係る発明において、
配置ステップに含まれる与薬対象の識別情報を表示する工程が、
少なくとも、次回に配薬予定の医薬品が収容された一部の与薬単位容器に、対象識別手段を収容する工程であり、
配薬ステップの終了後、配薬後の与薬単位容器に収容されていた対象識別手段を、対象識別手段が収容されていない与薬単位容器のうち、最も早く配薬予定の与薬単位容器に収容する再識別ステップを含むことを特徴とする。
【発明の効果】
【００１９】
請求項１に係る発明によれば、与薬単位容器が、周期ごとに周期単位容器に集約され、さらに、その周期単位容器が、所定の周期分を収容し得る対象単位容器に集約されるので、複数周期にわたる医薬品の小分けを集中して実施することができ、与薬対象ごとに配薬状況を簡単に確認することができ、さらに、配薬時に、配薬すべき医薬品を、与薬単位容器ごと、対象単位容器から抜き出して、管理、配薬できるようになり、配薬すべき医薬品の抜き出しや選別作業が非常に容易になり、配薬時の誤薬事故の発生を防止することができる。
【００２０】
請求項２に係る発明によれば、複数の対象単位容器から、所定の配薬時期に配薬すべき医薬品を与薬単位容器ごと抜き出して、投与時期単位容器に集約し、投与時期単位容器を持って与薬対象に対して配薬できるようになるため、配薬不要な医薬品を携行する必要がなくなり、配薬作業が容易になる。
【００２１】
また、配薬時に、配薬に用いられる与薬単位容器に、配薬に用いられない与薬単位容器が並んで配列されていないので、不適切な配薬時期用の与薬単位容器から配薬する心配がない。
【００２２】
請求項３に係る発明によれば、与薬単位容器に与薬対象の氏名や識別コードなど、対象識別手段を固定して設ける必要がなくなり、使用済の与薬単位容器の管理及び再利用が容易になって、運用コストを抑制できる。
【００２３】
また、一部の与薬単位容器にのみ、対象識別手段を着脱可能に取り付けることにより、配薬済の与薬単位容器から、対象識別手段を回収し、その回収状況から配薬や、服用状態の確認が可能になると共に、与薬対象ごとに個別に作成される対象識別手段の個数を減らすことができるので、運用コストを抑制することができる。
【００２４】
請求項４に係る発明によれば、樹脂製シートや樹脂製カードのような薄板上部材に、例えば、識別情報を印刷するか、識別情報が印刷された粘着テープを貼付することによって、対象識別手段を簡単かつ低コストに作成することができる。
【００２５】
請求項５に係る発明によれば、与薬単位容器が、周期ごとに周期単位容器に集約され、さらに、その周期単位容器が、所定の周期分を収容し得る対象単位容器に集約されるので、複数周期にわたる医薬品の小分けを集中して実施することができ、与薬対象ごとに配薬状況を簡単に確認することができ、さらに、配薬時に、配薬すべき医薬品を、与薬単位容器ごと、対象単位容器から抜き出して、管理、配薬できるようになり、配薬すべき医薬品の抜き出しや選別作業が非常に容易になり、配薬時の誤薬事故の発生を防止することができる。
【００２６】
請求項６に係る発明によれば、複数の対象単位容器から、所定の配薬時期に配薬すべき医薬品を与薬単位容器ごと抜き出して、投与時期単位容器に集約し、投与時期単位容器を持って与薬対象に対して配薬できるようになるため、配薬不要な医薬品を携行する必要がなくなり、配薬作業が容易になる。
【００２７】
また、配薬時に、配薬に用いられる与薬単位容器に、配薬に用いられない与薬単位容器が並んで配列されていないので、不適切な配薬時期用の与薬単位容器から配薬する心配がない。
【００２８】
請求項６に係る発明によれば、複数の対象単位容器から、所定の配薬時期に配薬すべき医薬品を与薬単位容器ごと抜き出して、投与時期単位容器に集約し、投与時期単位容器を持って与薬対象に対して配薬できるようになるため、配薬不要な医薬品を携行する必要がなくなり、配薬作業が容易になる。
【００２９】
また、配薬時に、配薬に用いられる与薬単位容器に、配薬に用いられない与薬単位容器が並んで配列されていないので、不適切な配薬時期用の与薬単位容器から配薬する心配がない。
【００３０】
請求項７に係る発明によれば、与薬対象の氏名や識別コードなど、与薬単位容器に対象識別手段を固定したり、与薬単位容器と識別情報を１対１の関係で多数準備したりする必要がなくなり、使用済の与薬単位容器の管理及び再利用が容易になって、運用コストを抑制できる。
【００３１】
また、一部の与薬単位容器にのみ、対象識別手段を着脱可能に取り付けることにより、配薬済の与薬単位容器から、対象識別手段を回収し、その回収状況から配薬や、服用状態の確認が可能になると共に、与薬対象ごとに個別に作成される対象識別手段の個数を減らすことができるので、運用コストを抑制することができる。
【図面の簡単な説明】
【００３２】
【図１】図１は、本発明に係る与薬管理具の一実施例の側面図である。
【図２】図２は、図１に示した与薬管理具をＡ−Ａ方向から見た正面図である。
【図３】図３は、図２の周期単位容器を対象識別容器に収容する状態を示す説明図である。
【図４】図４は、図３の周期単位容器に与薬単位容器を収容する状態を示す説明図である。
【図５】図５は、図４の与薬単位容器に対象識別手段を収容する状態を示す説明図である。
【図６】図６は、図１の与薬単位容器の上面図である。
【図７】図７は、図６のＢ−Ｂ断面図である。
【図８】図８は、図６のＣ−Ｃ断面図である。
【図９】図９は、図４に示した与薬単位容器をＤ−Ｄ方向から見た上面図である。
【図１０】図１０は、図９のＥ−Ｅ断面図である。
【図１１】図１１は、図１０のＦ−Ｆ断面図である。
【図１２】図１２は、図１の対象単位容器の上面図である。
【図１３】図１３は、図１２に示した対象単位容器のＧ−Ｇ断面図である。
【図１４】図１４は、図１２に示した対象単位容器に、周期単位容器を収容した状態を示す上面図である。
【図１５】図１５は、実施例１の与薬管理具を用いた与薬管理方法の実施方法を示すフローチャートである。
【図１６】図１６は、本発明に係る別の与薬管理方法の実施方法を示すフローチャートである。
【図１７】図１７は、本発明に係るさらに別の与薬管理方法の実施方法を示すフローチャートである。
【発明を実施するための形態】
【００３３】
本発明では、１回の配薬時期に配薬される医薬品を収容する与薬単位容器を、周期単位容器に複数収容させ、与薬単位容器を複数収容した周期単位容器を、対象単位容器に複数収容させることにより、１回の配薬時期に配薬される医薬品を、与薬単位容器ごと取り出し、患者等に配薬可能にできるようにし、配薬時のミスや、配薬済の確認を容易に行うことを可能にした。
【実施例１】
【００３４】
まず、図１から図５に基づき、本発明に係る与薬管理具の概要を説明する。
図中、１は本発明に係る与薬管理具、２ａ〜２ｄは与薬単位容器、３は対象識別手段、４は周期単位容器、５は対象単位容器であって、与薬管理具１は、以下に説明するとおり、与薬単位容器２ａ〜２ｄ、対象識別手段３、周期単位容器４、及び、対象単位容器５を備えたものである。
【００３５】
与薬単位容器２ａ〜２ｄは、１回の配薬時期に配薬される医薬品を収容する。
本明細書において、１回の配薬時期に配薬される医薬品とは、具体的には、患者に対して医薬品を、朝、昼、夕、眠前の４回の時期に分けて配薬する場合、朝、昼、夕、眠前において、１回に配薬すべき医薬品を示す。
【００３６】
対象識別手段３は、各与薬単位容器２ａ〜２ｄに対し、それぞれ収容され得る薄板状部材、即ち、シートであって、柔軟性、又は、可撓性を有する。
この対象識別手段３は、例えば、樹脂製シートである。
なお、図面では、対象識別手段３は、図面を簡素化するため、与薬単位容器２を構成する壁部と同様の厚さを有するが、実際は、図面で示したものよりは薄いシート状の部材である。
【００３７】
この識別手段３には、図５に示されるように与薬すべき対象を識別するための手段として、識別ラベル３０が貼付される。
この識別ラベル３０には、例えば、与薬対象の氏名、与薬対象に割り当てられたコード、病室番号、ベッド番号、管理用バーコード等の識別情報が記入又は印刷されている。
また、識別手段３に設けられる表示には、上記の識別情報の他、例えば、水薬あり、禁薬中等の注意事項に関する情報も含ませることも可能である。
【００３８】
また、この識別ラベル３０は、貼付及び剥離が可能な粘着層を介して、対象識別手段３に貼付し得るものであり、与薬の運用に応じて適宜貼り換えができるようになっている。
また、この識別ラベル３０は、識別手段３に収容された状態で、与薬単位容器２ａ〜２ｄの外方から視認し得る位置に設けられる。
【００３９】
周期単位容器４は、同一の周期に属する複数の与薬単位容器を収容する上面が開口する容器である。
本明細書において、同一の周期とは、例えば、１日分、具体的には、朝、昼、夕及び眠前の４回の時期を１単位とする周期を示す。
本実施例では、周期単位容器４は、１周期に相当する４個の与薬単位容器２ａ〜２ｄを横一列に収容し得るものである。
【００４０】
対象単位容器５は、複数の周期単位容器４を収容するものである。
この対象単位容器５は、例えば、１週間や１０日間分に必要な個数の周期単位容器４を収容することが可能である。
【００４１】
そして、本実施例における与薬管理具１は、それぞれ対象識別手段３を収容し４個の与薬単位容器２を、横一列に収容した周期単位容器４が、複数、対象単位容器５上に載置、収容された状態で使用されるものである。
【００４２】
次に、図６から図１４に基づき、上記の与薬管理具１の構成を具体的に説明する。
まず、与薬単位容器２ａ〜２ｄについて説明する。
同一の周期に属する与薬単位容器２ａ〜２ｄは、樹脂製であり、それぞれ同一の形状を有する。
一方で、これらの与薬単位容器２ａ〜２ｄは、周期中の何れの時期に配薬されるかを判別し得るよう、異なる色、例えば、赤、青、黄、緑といった異なった色の樹脂で形成される。
【００４３】
以下、与薬単位容器２ａ〜２ｄの形状について説明する。
なお、上記の通り、与薬単位容器２ａ〜２ｄは同一形状であるので、与薬単位容器２ｄについて説明し、他の与薬単位容器２ａ〜２ｃの形状の説明は省略する。
また、以下の説明において、上下左右方向は、与薬管理具１を水平面に載置した状態における上下左右方向を示すものとする。
【００４４】
与薬単位容器２ｄは、略矩形状の底面部２ｄ−１と、底面部２ｄ−１の一縁部から立ち上がる前面部２ｄ−２と、前面部２ｄ−２に対面して底面部２ｄ−１の一縁部から立ち上がり、前面部２ｄ−２の高さよりも高く上方に張り出す背面部２ｄ−３と、底面部２ｄ−１の残りの一対の縁部から対面して立ち上がり、前面部２ｄ−２と同一の高さを有する１対の側面部２ｄ−４、２ｄ−５を有する。
この与薬単位容器２ｄは、底面部２ｄ−１、前面部２ｄ−２、背面部２ｄ−３、側面部２ｄ−４、２ｄ−５で囲まれた空間を、医薬品等を収容するスペースとする。
【００４５】
また、この与薬単位容器２ｄには、対象識別手段３を保持するための機構として、背面部２ｄ−３の容器内面側であって、側面部２ｄ−４、２ｄ−５の近傍に設けられる１対の傾斜リブ２ｄ−３０、２ｄ−３１と、１対の側面部２ｄ−４、２ｄ−５の容器内面側であって、背面部２ｄ−３との間に間隙を介して背面部２ｄ−３の沿って張り出す挟持リブ２ｄ−４０、２ｄ−５０とを有する。
【００４６】
挟持リブ２ｄ−４０、２ｄ−５０は、背面部２ｄ−３との間隙で、シート状の対象識別手段３を挟んだ状態で保持し得るよう構成される。
なお、この「挟んだ状態」とは、挟持リブ２ｄ−４０、２ｄ−５０と、背面部２ｄ−３との間に緊密に嵌った状態に限定されるものではなく、単に、間隙の間に存在し、脱落しにくい状態も含むものである。
【００４７】
傾斜リブ２ｄ−３０、２ｄ−３１の張り出し幅は、図７、図８に示されるように、底面部２ｄ−１側で広く、上方に進むに従い、順次狭くなる。
このため、この傾斜リブ２ｄ−３０、２ｄ−３１の構成面のうち、前面部２ｄ−２に対面する面は、上方に進むに従い、前面部２ｄ−２から遠ざかり、最終的に背面部２ｄ−３の内面と一致する傾斜面となる。
また、この傾斜面の上部の高さは、底面部２ｄ−１を基準面としたとき、挟持リブ２ｄ−４０、２ｄ−５０の上部の高さより低くなるよう構成されるものである。
【００４８】
対象識別手段３は、与薬単位容器２ｄ内部の幅と略同一の幅を有する。
対象識別手段３は、与薬単位容器２ｄの背面部２ｄ−３の内面に沿って、図５に示したように、下方に滑らせるように、与薬単位容器２ｄに収容される。
このように、対象識別手段３を与薬単位容器２ｄに収容すると、まず、対象識別手段３の両端が、挟持リブ２ｄ−４０、２ｄ−５０と、背面部２ｄ−３の間に案内された状態で、下方に進む。
【００４９】
なお、既に説明した通り、対象識別手段３の厚さは便宜上、厚めに記載されているが、実際は、図面で示されるよりも薄く、挟持リブ２ｄ−４０、２ｄ−５０と背面部２ｄ−３との間隙には、対象識別手段３の上下方向の移動を妨げない程度のあそびが設けられている。
【００５０】
対象識別手段３が下方に進むに従い、対象識別手段３の下端が、傾斜リブ２ｄ−３０、２ｄ−３１によって徐々に与薬単位容器２ｄの内方に押し出されるが、このとき、対象識別手段３の両端は、挟持リブ２ｄ−４０、２ｄ−５０によって、背面部２ｄ−３側に押さえられるので、対象識別手段３は、最終的に、図９から図１１に示したように、撓んだ状態で、与薬単位容器２ｄ内に保持される。
【００５１】
このように、対象識別手段３は、傾斜リブ２ｄ−３０、２ｄ−３１によって撓められ、その結果、その復元力によって挟持リブ２ｄ−４０、２ｄ−５０に押し付けられることになり、その摩擦力の利用によって、不用意な離脱が防止される。
【００５２】
また、対象識別手段３の撓み具合は、その下端で大きく、摩擦力が強いのは、底面部２ｄ−１近くであるため、与薬単位容器２ｄに収容された対象識別手段３は、少し上方に滑らせるだけで、簡単に抜くことができる。
【００５３】
なお、傾斜リブ２ｄ−３０、２ｄ−３１の位置は、挟持リブ２ｄ−４０、２ｄ−５０の位置及び突出する長さに応じて定められるものである。
なお、傾斜リブ２ｄ−３０、２ｄ−３１の位置は、挟持リブ２ｄ−４０、２ｄ−５０の位置を、挟持リブ２ｄ−４０、２ｄ−５０に近づけることにより、その保持力を向上させることが可能であり、傾斜リブ２ｄ−３０、２ｄ−３１の張り出し具合、及び、傾斜角度は、対象識別手段３の可撓性、挟持リブ２ｄ−４０、２ｄ−５０の張り出し幅、挟持リブ２ｄ−４０、２ｄ−５０との相対位置に応じ、対象識別手段３を、挟持リブ２ｄ−４０、２ｄ−５０に押さえつけるように撓ませるよう調整される。
【００５４】
周期単位容器４は、略矩形状の底面部４ａと、底面部４ａの周縁から立ち上がる壁面部４ｂ〜４ｅからなる上部が開口した容器である。
この周期単位容器４は、図４に示したように、４個の与薬単位容器２ａ〜２ｄを横一列に並べた状態で収容するものである。
また、壁面部４ｂ〜４ｄの上縁の高さは、収容された与薬単位容器２ａ〜２ｄの前面部の上縁の高さより低いものである。
【００５５】
対象単位容器５は、トレー状の容器であり、図示しない収容棚、キャビネット、コンテナー、カート等に、引き出し状に収容可能なものである。
この対象単位容器５は、矩形状の底面部５ａと、底面部５ａの一縁部から立ち上がり、上端に、握り手用の折り返し部５ｂ−１を有する前面部５ｂと、前面部５ｂに対面するよう、底面部５ａの縁部から立ち上がる背面部５ｃと、底面部５ａの残りの一対の縁部から立ち上がる１対の側面部５ｄ、５ｅを有する。
【００５６】
本実施例においては、この対象単位容器５は、所要の形状に切り出された金属板を曲げ加工して得られる。
また、本実施例においては、背面部５ｃ及び側面部５ｄ、５ｅの上縁の高さは、前面部５ｂの上縁の高さよりも低く構成される。
この構成により、与薬単位容器２ａ〜２ｄや周期単位容器４の出し入れが容易になる。
【００５７】
また、本実施例においては、側面部５ｄ、５ｅの上縁は、容器の外側に向けて水平に張り出すよう折り曲げられる。
この折り曲げにより、対象単位容器５の強度が向上すると共に、この折り曲げ部分を、図示しない収容棚のレールに案内させて、引き出しとして利用することも可能になる。
【００５８】
この対象単位容器５の底面部５ａには、図１４に示したように、前面部５ｂ側から背面部５ｃ側に向けて、周期単位容器４を順次並べ得るものである。
なお、この対象単位容器５の前面部５ｂの、例えば外面や上面には、対象識別手段３に貼付されたものと同様の、与薬対象を識別するための図示しないラベルが貼付されることが望ましいが、対象識別手段３で与薬対象を識別可能であるので、必須ではない。
また、対象単位容器５の前面部５ｂ、または、その折り返し部５ｂ−１の、対象単位容器５を正面から見たときに視認し得る位置には、カードの内容を確認し得る状態で、カードを収容する図示しないカードホルダを設けることが推奨される。
【００５９】
このカードホルダには、例えば、与薬対象の氏名、部屋番号などの識別情報が記載され、対象単位容器５に対応する与薬対象が変更されたときには、このカードを差し替えることにより、与薬対象を簡単に変更することが可能になる。
また、このカードは、プレートに必要な情報が印刷されたラベルを貼付し、必要に応じて、ラベルを貼り替えることによって、更新できるように構成することが推奨されるが、筆記具を用いて、情報を直接記入するようにしてもよい。
なお、図１に示された状態は、対象単位容器５に収容される周期単位容器４に、与薬単位容器２を収容させた状態を示すものである。
【００６０】
次に、上記の与薬管理具１を用いた与薬管理方法について説明する。
まず、配薬すべき医薬品を収容し得る与薬単位容器２ａ〜２ｄに、与薬対象、例えば、医薬品を配薬すべき対象者である患者の氏名が記載された識別ラベル３０が貼り付けられた対象識別手段３を収容し、同一の与薬対象に対応する複数の与薬単位容器２ａ〜２ｄを周期単位容器４に収容し、同一の与薬対象に対応する所定周期、例えば、１週間や１０日間分に相当する周期単位容器４を同一の対象単位容器５に収容し、各与薬単位容器２ａ〜２ｄに、各与薬単位容器２ａ〜２ｄに対応する時期に問うようすべき医薬品を収容した状態に配置する（Ｓ１００）。
【００６１】
なお、上記の配置においては、医薬品、与薬単位容器２ａ〜２ｄ、周期単位容器３の収容順序は、配置作業者によって適宜設定することができ、結果的に、対象単位容器５上に、医薬品が収容された与薬単位容器２ａ〜２ｄが、周囲単位容器３ごとに分類された状態で、与薬順に収容、配置された状態になっていればよい。
【００６２】
このとき、各周期単位容器３に配置された与薬単位容器２ａ〜２ｄは、対象単位容器５の前面部５ｂ側から見て、左側から赤（朝用）、青（昼用）、黄（夕用）、緑（眠前用）の順にそれぞれ配列される。
そして、与薬される医薬品は、投薬周期が早い順に、対象単位容器５の前面部５ｂ側から順に、各与薬単位容器２ａ〜２ｄに収容されるものである。
【００６３】
次に、与薬された医薬品の配薬に先立ち、配薬の対象となる医薬品が収容された与薬単位容器を対象単位容器５に収容された周期単位容器４から抜き出すことによって抽出する（Ｓ１０１）。
【００６４】
次に、抽出された与薬単位容器を与薬対象、例えば、対応する患者に配薬する（Ｓ１０２）。
この配薬は、例えば、与薬対象に対し、与薬単位容器を預けたり、与薬単位容器から取り出した医薬品のみを渡したりすることによって行われる。
【００６５】
上記の実施例によると、与薬単位容器が、周期ごとに周期単位容器に集約され、さらに、その周期単位容器が、所定の周期分を収容し得る対象単位容器に集約されるので、複数周期にわたる医薬品の小分けを集中して実施することができ、与薬対象ごとに配薬状況を簡単に確認することができ、さらに、配薬時に、配薬すべき医薬品を、与薬単位容器ごと、対象単位容器から抜き出して、管理、配薬できるようになり、配薬すべき医薬品の抜き出しや選別作業が非常に容易になり、配薬時の誤薬事故の発生を防止することができる。
【００６６】
また、各与薬単位容器が、周期単位容器ごとに分類されているため、配薬のために与薬単位容器を抜き出した後でも、対象単位容器上の与薬単位容器の配置配列が崩れることがなく、対象単位容器を一見するだけで、与薬対象別に、配役状況を簡単かつ正確に確認することができる。
【実施例２】
【００６７】
次に、実施例２に係る与薬管理方法について説明する。
なお、この実施例は、実施例１の方法の構成の一部を変更したものであるので、実施例１と共通する構成については、説明を省略する。
この実施例は、実施例１に示した与薬管理具１と、複数の対象単位容器から抽出された与薬単位容器を集約して配置し得る、図示しない投与時期単位容器を用いる。
【００６８】
この投与時期単位容器は、トレー状又は上面開口型の箱状の容器であり、複数の与薬単位容器を一括して収容し得るものである。
この与薬管理方法は、例えば、複数の入院患者を管理する病棟や、複数の入所者の健康を管理する介護福祉施設等での利用を想定したものである。
この与薬管理方法では、まず、実施例１と同様に与薬対象別に配薬すべき医薬品を配置する（Ｓ２００）。
【００６９】
次に、与薬された医薬品の配薬に先立ち、複数の与薬対象に対応する対象単位容器５から、それぞれ、配薬の対象となる医薬品が収容された与薬単位容器を抜き出して抽出する（Ｓ２０１）。
【００７０】
次に、抽出された与薬単位容器を投与時期単位容器に集約して配置する（Ｓ２０２）。
このため、投与時期単位容器には、同一の時期に異なった与薬対象に対して配薬される医薬品が収容された与薬単位容器が、複数配置されることになる。
【００７１】
次に、与薬対象、例えば、与薬単位容器が配置された投与時期単位容器をカートに設置又は載置し、看護師等が、病棟の病室入り口や、ベッドサイドを回ったり、ナースステーションや診察室に受け取りに来た与薬対象に直接渡したりして、投与時期単位容器を介して医薬品を配薬する（Ｓ２０３）。
【００７２】
上記の実施例によると、実施例１における作用効果に加え、複数の対象単位容器から、所定の配薬時期に配薬すべき医薬品を与薬単位容器ごと抜き出して、投与時期単位容器に集約し、投与時期単位容器を持って与薬対象に対して配薬できるようになるため、配薬不要な医薬品を携行する必要がなくなり、配薬作業が容易になる。
【００７３】
なお、上記の実施例では、投与時期単位容器をカート等にセットするようになっているが、例えば、カート自体に、投与時期単位容器に相当する載置部を設け、抽出された与薬単位容器を直接、カートにセットできるようにしてもよい。
【実施例３】
【００７４】
次に、実施例３に係る与薬管理方法について説明する。
なお、この実施例は、実施例２の方法の構成の一部を変更したものであるので、実施例１と共通する構成については、説明を省略する。
この実施例では、実施例１に示した与薬管理具１を用いるが、対象識別手段３を、１周期に相当する枚数、即ち、４枚のみ用いるものである。
【００７５】
この与薬管理方法では、まず、与薬対象を識別するための情報が表示された対象識別手段３を、直近の１周期に属する与薬単位容器へ収容し、このとき、例えば、夕用の与薬から開始するのであれば、その直近の１周期の与薬単位容器には、夕及び眠前用にのみ対象識別手段３を収容し、そして、配薬が不要な朝及び昼用の与薬単位容器には、対象識別手段３を収容せず、残りの対象識別手段３は、次の周期の朝及び昼用の与薬単位容器に収容した状態で、与薬対象別に投与すべき医薬品を配置する（Ｓ３００）。
【００７６】
なお、この医薬品の配置においては、医薬品を配置すべき与薬単位容器の全てに対象識別手段３が収容されているわけではないので、誤薬を防止するためにも、対象識別手段３に収容された状態の与薬単位容器に、医薬品を順次配置することが推奨される。
この場合、対象識別手段３の収容時期は、医薬品の配置の前後の何れでもよい。
【００７７】
次に、与薬された医薬品の配薬に先立ち、複数の与薬対象に対応する対象単位容器５から、それぞれ、配薬の対象となる医薬品が収容された与薬単位容器を抜き出して抽出する（Ｓ３０１）。
【００７８】
次に、抽出された与薬単位容器を投与時期単位容器に集約して配置する（Ｓ３０２）。
このため、投与時期単位容器には、同一の時期に異なった与薬対象に対して配薬される医薬品が収容された与薬単位容器が、複数配置されることになる。
【００７９】
次に、実施例２と同様に投与時期単位容器を介して医薬品を配薬する（Ｓ３０３）。
【００８０】
次に、配薬済の与薬単位容器から、対象識別手段３を回収し、回収された対象識別手段３を、その対象識別手段３に対応する対象単位容器５に収容され、対象識別手段が収容されていない与薬単位容器のうち、最も早く配薬予定の与薬単位容器に収容して、与薬単位容器を再識別する（Ｓ３０４）。
【００８１】
次に、対象単位容器５の一番手前の一列目、即ち、直近の１周期分として配置された与薬単位容器からの配薬が終了したときには、その１周期分の周期単位容器４を対象識別手段３から取り出し、対象単位容器５の前面部５ｂ側に、周期単位容器４をまとめてずらして繰り上げ、対象単位容器５上の全ての与薬単位容器を相対移動させる（Ｓ３０５）。
【００８２】
上記の実施例によると、実施例１及び実施例２における作用効果に加え、与薬対象の氏名や識別コードなど、与薬単位容器に対象識別手段を固定したり、与薬単位容器と識別情報を１対１の関係で多数準備したりする必要がなくなり、使用済の与薬単位容器の管理及び再利用が容易になって、運用コストを抑制できる。
また、この実施例では、使用済の与薬単位容器から回収された対象識別手段を管理すれば、配薬漏れの確認を行うことができるようになる。
【００８３】
本発明は上記のように構成されるが、本発明は上記の実施例に限定されるものではない。
例えば、対象識別手段は、与薬単位容器と独立した部材である必要はなく、例えば、与薬単位容器に直接貼付される識別ラベルであってもよく、また、対象識別手段は、与薬単位容器に直接記入された識別情報の表示であってもよい。
また、対象識別手段に表示される識別情報は、シート状の対象識別手段に直接記入された表示や、プリント表示であってもよい。
【００８４】
この場合、この表示は、消去可能なインクを用い、リユースしてもよいが、衛生上の観点から、１対象者で使い捨てとし、回収された使用済のシートを原料に対象者識別手段のシートを再生産するようにしてもよい。
また、対象識別手段は、対象識別手段及び与薬単位容器の少なくとも一方に設けられた粘着手段を介して、与薬単位容器に係止するようにしてもよい。
また、対象識別手段は、全ての与薬単位容器に設けてもよく、反対に、一部の与薬単位容器に設けてもよい。
【００８５】
さらに、対象識別手段は、１個の与薬単位容器に対して複数設けるようにしてもよい。
この場合、少なくとも１個の対象識別手段に、与薬単位容器に対する係止手段、例えば、クリップやピンチを設け、この係止手段を介して、その対象識別手段を与薬単位容器に後付けで係止できるようにすることが推奨される。
この後付けによって追加された対象識別手段には、例えば、患者の容態が変わるなどして、一時的に投薬内容が変更された場合に、投薬内容が変更される時期の開始時期、終了時期が表示されるラベルが貼り付けられたり、これらの情報が直接書き込まれたりする。
【００８６】
また、この後付けの対象識別手段は、与薬単位容器に収容、または、係止したときに、その対象識別手段の少なくとも一部分が、与薬単位容器の列から外部に突出するようにすることが推奨される。
この場合、その突出した部分に、情報を表示するようにし、例えば、そこに注意喚起情報を表示した場合には、対象単位容器上で、注意喚起情報のフラグが立った状態となるので、その情報を見落とす恐れがなくなる。
【００８７】
また、本実施例では、対象識別手段は与薬単位容器に係止した状態で収容できるように構成されるが、対象識別手段は、医薬品と同様に、単に、係止手段を介さずに、与薬単位容器に収容されるものであっても良く、この場合、対象識別手段には可撓性は要求されない。
また、対象識別手段と与薬単位容器とを、静電気を介して密着させるようにしてもよい。
また、本発明における与薬対象は、人間に限定されず、例えば、動物であってもよく、さらに、共通の特徴または特性を有する特定の集団を示すものであってもよい。
【００８８】
また、投与時期単位容器は、例えば、病棟ごと、病室ごと、診療科ごと、病棟エリアごとのように、特定の範囲ごとに異なるものを利用してもよい。
また、上記の実施例では、１周期分の与薬単位容器は４個としたが、必要に応じ、３個以下でも５個以上であってもよい。
【００８９】
また、与薬単位容器の形状は、上記の実施例に限定されず、例えば、各種リブの形状や数は、対象識別手段を湾曲させて係止し得るものであればよく、傾斜リブの傾斜面も、上側が部分的に傾斜するものであっても、途中で傾斜角度が変更するものであってもよい。
また、傾斜リブに代えて、例えば、略球面状の凸面を有する突起のような凸部を設け、この凸部によって、対象識別手段を撓ませ、与薬単位容器に係止するようにしてもよい。
【００９０】
また、上記の説明では、主に医薬品の配置から配薬に至るまでの説明をしたが、配薬が進み、さらなる与薬対象の医薬品を補充するときには、既に医薬品が配置された与薬単位容器に続けて、補充すべき医薬品を配置すればよい。
また、配薬済の与薬単位容器、及び、終了した周期に対応する周期単位容器は、次の医薬品の補充があるまで、対象単位容器から順次取り除いてもよく、また、配薬済の与薬単位容器は、元の周期単位容器の元の位置に戻し、その周期が終了したときに、周期単位容器ごと、対象単位容器の最後列に再配置してもよい。
【００９１】
また、上記の実施例では、対象単位容器は、キャビネット等に引き出し可能に収容可能であるが、単に、収納棚に並べて収納するものであってもよく、対象単位容器の形状も、所要の与薬単位容器及び周期単位容器を収容できるものであれば、どのようなものであってもよい。
【００９２】
また、与薬単位容器の開口には、蓋を設け、収容した医薬品、対象識別手段等が不用意に脱落しないようにしてもよい。
また、上記の実施例で示した管理方法を構成する工程やステップは、相互に組み合わせてもよい。
また、各構成要素の材料は、本発明に必要な機能を備えた形状に加工できるのであれば、上記の実施例に限定されるものではない。
【産業上の利用可能性】
【００９３】
本発明は、医療施設、特に、多数の入院患者に配薬すべき医薬品を、簡単かつ確実に、与薬対象ごとに分類し、投与時期ごとに仕分け、配薬できるようになるので、医療従事者等の負担を削減でき、また、誤薬による危険から与薬対象を守ることができるようになり、医薬業界における利用可能性が高い。
【符号の説明】
【００９４】
１          与薬管理具
２ａ        与薬単位容器
２ｂ        与薬単位容器
２ｃ        与薬単位容器
２ｄ        与薬単位容器
２ｄ−１    底面部
２ｄ−２    前面部
２ｄ−３    背面部
２ｄ−３０  傾斜リブ
２ｄ−３１  傾斜リブ
２ｄ−４    側面部
２ｄ−４０  挟持リブ
２ｄ−５    側面部
２ｄ−５０  挟持リブ
３          対象識別手段
３０        識別ラベル
４          周期単位容器
４ａ        底面部
４ｂ        壁面部
４ｃ        壁面部
４ｄ        壁面部
４ｅ        壁面部
５          対象単位容器
５ａ        底面部
５ｂ        前面部
５ｂ−１    折り返し部
５ｃ        背面部
５ｄ        側面部
５ｅ        側面部
【図１】
0005563621.tif 000002
【図２】
0005563621.tif 000003
【図３】
0005563621.tif 000004
【図４】
0005563621.tif 000005
【図５】
0005563621.tif 000006
【図６】
0005563621.tif 000007
【図７】
0005563621.tif 000008
【図８】
0005563621.tif 000009
【図９】
0005563621.tif 000010
【図１０】
0005563621.tif 000011
【図１１】
0005563621.tif 000012
【図１２】
0005563621.tif 000013
【図１３】
0005563621.tif 000014
【図１４】
0005563621.tif 000015
【図１５】
0005563621.tif 000016
【図１６】
0005563621.tif 000017
【図１７】
0005563621.tif 000018